(57)【特許請求の範囲】
【請求項１】
エレベーターを有するビルに備えられた防犯システムであって、
前記ビルの所定の階床に設けられた電気錠と、
エレベーターを制御するための制御盤と、
エレベーターのかご内に設けられた報知器と、
前記かご内を撮影するためのカメラと、
前記カメラによって撮影された画像に基づいて、前記かご内にいる人物の異常行動を検出する異常行動判定部と、
前記かごに設けられた非常呼びボタンと、
所定の時間内に、前記異常行動判定部によって異常行動が検出され、且つ、前記非常呼びボタンが押されると、所定の防犯事態を検出する防犯判定部と、
前記防犯判定部によって防犯事態が検出されると、前記かご内の被害者を救出するための管制運転を、前記制御盤に開始させる中央処理部と、
を備え、
前記制御盤は、前記管制運転において、前記かごを前記電気錠の設置階床に停止させて戸開し、
前記中央処理部は、前記防犯判定部によって防犯事態が検出されると、前記報知器から威嚇報知を行わせ、前記電気錠を施錠させる
防犯システム。
【請求項２】
前記電気錠は、前記ビルの複数の階床に設けられ、
前記制御盤は、前記管制運転が開始されると、現在位置から最も近い前記電気錠の設置階床に、前記かごを停止させて戸開し、
前記中央処理部は、前記防犯判定部によって防犯事態が検出されると、前記最も近い設置階床の前記電気錠を施錠させる
請求項１に記載の防犯システム。
【請求項３】
前記かごに設けられた戸閉ボタンと、
前記かごの積載荷重を検出する秤装置と、
を更に備え、
前記制御盤は、前記電気錠の設置階床で前記かごを戸開した後、前記戸閉ボタンが押され、且つ、前記秤装置によって検出された積載荷重が、戸開前に検出された積載荷重よりも所定量減少すると、前記かごを戸閉する請求項１又は請求項２に記載の防犯システム。
【請求項４】
前記制御盤は、前記かごを戸閉した後、前記かごを他の階床に走行させて停止させ、戸閉状態のまま待機させる請求項３に記載の防犯システム。
【発明の詳細な説明】
【技術分野】
【０００１】
この発明は、エレベーターを有するビルに備えられた防犯システムに関するものである。
【背景技術】
【０００２】
防犯システムに関する従来技術として、例えば、下記特許文献１及び２に記載のものがある。
特許文献１に記載の防犯システムでは、エレベーターのかご内で非常呼びボタンが押されると、カメラによって撮影されたかご内の画像を、遠隔の警備会社と保守会社との双方に転送している。そして、警備会社及び保守会社では、モニタに表示されるかご内の画像から非常事態の有無を判断し、必要に応じて、警備員や保守員を現場に急行させている。
【０００３】
また、特許文献２に記載の防犯システムでは、エレベーターのかごにカメラを設置し、このカメラによって撮影された画像から、乗客の暴れの有無を判定している。そして、乗客の暴れを検出すると、エレベーターを自動的に管制運転に移行させ、かごを所定の階床に停止させている。
【先行技術文献】
【特許文献】
【０００４】
【特許文献１】特開２００６−８９２５６号公報
【特許文献２】国際公開第２００６／０９２８５４号公報
【発明の概要】
【発明が解決しようとする課題】
【０００５】
特許文献１に記載のものでは、警備会社や保守会社において非常事態の発生を判断しても、警備員や保守員が現場に到着するまでにある程度の時間が掛かってしまう。このため、このシステムだけでは、例えば、エレベーターのかご内で犯罪が発生した場合に、被害者を早期に救出することができないといった問題があった。
【０００６】
特許文献２に記載のものでは、乗客の暴れを検出するとエレベーターを自動的に管制運転に移行させているため、被害者を救出できる可能性が飛躍的に高くなる。しかし、乗客の暴れを検出するための装置は、画像解析能力が高くなければならず、システムのコストが大幅に増加してしまう。なお、上記装置の画像解析能力が低いと、暴れの誤検知が多くなり、無用な管制運転が行われて、エレベーターの運転効率が大幅に低下するといった問題があった。
【０００７】
この発明は、上述のような課題を解決するためになされたもので、その目的は、システムとしての信頼性を損なうことなく安価に構成することができ、更に、エレベーターのかご内で犯罪が発生した際に被害者を早期に救出することができる防犯システムを提供することである。
【課題を解決するための手段】
【０００８】
この発明に係る防犯システムは、エレベーターを有するビルに備えられた防犯システムであって、ビルの所定の階床に設けられた電気錠と、エレベーターを制御するための制御盤と、エレベーターのかご内に設けられた報知器と、かご内を撮影するためのカメラと、カメラによって撮影された画像に基づいて、かご内にいる人物の異常行動を検出する異常行動判定部と、かごに設けられた非常呼びボタンと、所定の時間内に、異常行動判定部によって異常行動が検出され、且つ、非常呼びボタンが押されると、所定の防犯事態を検出する防犯判定部と、防犯判定部によって防犯事態が検出されると、かご内の被害者を救出するための管制運転を、制御盤に開始させる中央処理部と、を備え、制御盤は、管制運転において、かごを電気錠の設置階床に停止させて戸開し、中央処理部は、防犯判定部によって防犯事態が検出されると、報知器から威嚇報知を行わせ、電気錠を施錠させるものである。
【発明の効果】
【０００９】
この発明に係る防犯システムであれば、システムとしての信頼性を損なうことなく安価に構成することができ、更に、エレベーターのかご内で犯罪が発生した際に被害者を早期に救出することができるようになる。
【図面の簡単な説明】
【００１０】
【図１】この発明の実施の形態１における防犯システムの構成を示す図である。
【図２】この発明の実施の形態１における防犯システムの動作を示すフローチャートである。
【図３】この発明の実施の形態１における防犯システムの動作を示すフローチャートである。
【発明を実施するための形態】
【００１１】
この発明をより詳細に説明するため、添付の図面に従ってこれを説明する。なお、各図中、同一又は相当する部分には同一の符号を付しており、その重複説明は適宜に簡略化ないし省略する。
【００１２】
実施の形態１．
図１はこの発明の実施の形態１における防犯システムの構成を示す図である。
本防犯システムは、エレベーターを有するビルに備えられている。図１において、１はエレベーターのかご、２はエレベーターの制御盤、３はエレベーターの秤装置である。
【００１３】
かご１は、上記ビル内に形成された昇降路内を昇降する。かご１には、操作盤４、インターホン５、カメラ６、モニタ７、スピーカ８が設けられている。
【００１４】
操作盤４は、かご１内の乗客が操作するためのものである。操作盤４には、例えば、かご１が停止する階床毎の行先ボタン９や、戸開ボタン１０、戸閉ボタン１１が設けられている。
インターホン５は、かご１内の乗客が外部と通話するためのものである。インターホン５には、緊急時にかご１内の乗客が操作するための非常呼びボタン１２が設けられている。非常呼びボタン１２が押されると、所定の非常信号が後述の通信装置２１に送信される。
【００１５】
カメラ６は、防犯用等の目的でかご１に備えられたものである。カメラ６は、例えば、かご１内の様子（所定の範囲）を撮影することができるように、その視野や撮影方向が予め適切に設定されている。カメラ６によって撮影されたかご１内の画像は、後述のレコーダ１８に送信される。
【００１６】
モニタ７及びスピーカ８は、かご１内の乗客に対して各種情報を報知する報知器を構成する。エレベーターの通常運転時（通常サービス提供時）、モニタ７やスピーカ８からは、行先階の情報やニュース、天気予報といった乗客に有用な所定の情報が提供される。
【００１７】
制御盤２は、かご１の制御を含め、エレベーター全体の制御を行う機能を有している。制御盤２は、エレベーターの乗場や操作盤４から登録された呼びにかご１を適宜応答させる通常機能（通常運転を行う機能）に加え、所定の入力情報に応じて管制運転を行う機能を備えている。なお、１３はかご１の出入口を開閉するかごドアである。かごドア１３を開閉させるドア駆動装置（図示せず）も、制御盤２によって制御される。管制運転の内容等、制御盤２の詳細な機能については後述する。
【００１８】
秤装置３は、かご１の積載荷重を検出する機能を有している。秤装置３の検出結果は、制御盤２に送信される。秤装置３が積載荷重を検出するための方式は、如何なるものであっても構わない。
【００１９】
１４は上記ビルの所定の階床に設けられた扉である。扉１４は、かご１が停止する階床に設けられており、電気錠１５によって施錠が可能な構成を有している。電気錠１５を備えた扉１４は、かご１が停止する複数の階床に設けられていても構わない。扉１４は、その設置階床のエレベーター乗場から他の階床に通じる通路や、ビルの外に通じる出入口等に設けられている。即ち、扉１４が設置された階床でエレベーターを降りた人は、扉１４が備えられた通路や出入口を通過しなければ、他の階床やビルの外に移動することができないように構成されている。
【００２０】
１６は上記電気錠１５を制御、即ち、施錠及び開錠する電気錠制御盤、１７はかご１の外に設けられたカメラである。カメラ１７は、例えば、扉１４を撮影することができるように、ビルの所定場所に設置されている。カメラ１７によって撮影された画像は、レコーダ１８に送信される。
【００２１】
レコーダ１８は、例えば、かご１の上部やエレベーターの機械室に設置される。カメラ６及び１７から送信されてくる画像は、レコーダ１８の所定の記録部（図示せず）に順次記録される。レコーダ１８には、異常行動判定部１９と画像入出力制御部２０とが備えられている。
【００２２】
異常行動判定部１９は、カメラ６によって撮影されたかご１内の画像に基づいて、かご１内にいる人物が異常な行動をしているか否かを判定する機能を有している。例えば、レコーダ１８には、異常行動と判定するための条件が予め設定されている。異常行動判定部１９は、カメラ６からの画像を解析した結果が上記条件を満たす場合に、異常行動を検出する。そして、異常行動判定部１９は、異常行動を検出すると、所定の検出信号を後述の通信装置２１に送信する。
【００２３】
画像入出力制御部２０は、レコーダ１８に対する画像の入出力を制御する機能を有している。例えば、画像入出力制御部２０は、所定の信号が入力されると、カメラ６或いは１７によって撮影された画像や、レコーダ１８内に予め登録されている画像を出力して、モニタ７に表示させる。
【００２４】
通信装置２１は、本システムの全体制御を司る。通信装置２１は、例えば、エレベーターのかご１、制御盤２、電気錠制御盤１６、レコーダ１８に接続されており、相互に情報の送受信が可能となるように構成されている。また、通信装置２１は、所定の通信網２２を介して、ビル外部の監視センター２３や警備会社２４にも接続されている。
【００２５】
通信装置２１には、防犯判定部２５、中央処理部２６、アナウンス記憶部２７、回線制御部２８が備えられている。
【００２６】
防犯判定部２５は、犯罪の防止（或いは、阻止）が必要な所定の防犯事態が発生しているか否かを判定する機能を有している。防犯判定部２５は、例えば、所定の時間内に、異常行動判定部１９によって異常行動が検出され、且つ、非常呼びボタン１２が押されると、上記防犯事態を検出する。
【００２７】
中央処理部２６は、防犯判定部２５の判定結果等に基づいて、本システムを適切に制御する機能を有している。例えば、中央処理部２６は、防犯判定部２５が防犯事態を検出すると、かご１内の被害者を救出するための管制運転を、制御盤２に開始させる。また、中央処理部２６は、モニタ７（画像入出力制御部２０）やスピーカ８、電気錠制御盤１６の各制御、並びに、外部との情報の送受信を行う。なお、スピーカ８からアナウンスを行うための音声データは、アナウンス記憶部２７に予め記憶されている。また、外部との通信は、回線制御部２８を介して行われる。
【００２８】
以下に、図２及び図３も参照し、本防犯システム（特に、通信装置２１）の動作について、具体的に説明する。図２及び図３はこの発明の実施の形態１における防犯システムの動作を示すフローチャートである。
【００２９】
本防犯システムでは、通信装置２１の防犯判定部２５が、非常呼びボタン１２から非常信号を受信したか否かを常時判定している（Ｓ１）。通信装置２１では、非常信号の受信がなければ、防犯に必要な制御は特に行わない。このため、エレベーターでは、通常運転が行われる。
【００３０】
例えば、エレベーターの乗客が、無人のかご１に乗車し、誰にも邪魔にならないと考えてゴルフの素振りの真似をする。カメラ６は常時（或いは、エレベーターが動作している時のみ、かご１内に乗客がいる時のみ）動作しているため、この乗客の動作はカメラ６によって撮影され、その画像がレコーダ１８へと送信される。レコーダ１８では、カメラ６からの画像に基づいて、異常行動判定部１９が異常行動の有無を判定する。乗客の上記行動は、かご１内における動作として大きなものであるため、設定条件によっては異常行動判定部１９によって異常行動と判断される場合がある。しかし、防犯判定部２５では、非常呼びボタン１２から非常信号を受信していないため、異常行動判定部１９から検出信号を受信しても防犯事態とは判断しない。このため、中央処理部２６は通常モードを選択し、制御盤２は通常運転を継続させる。
【００３１】
一方、防犯判定部２５は、非常呼びボタン１２から非常信号を受信すると（Ｓ１のＹｅｓ）、所定の時間、例えば、非常信号を受信する直前の５秒間（或いは、非常信号受信時を含む６秒間）に、異常行動判定部１９から検出信号を受信したか否かを判定する（Ｓ２）。
【００３２】
例えば、乗客がかご１に乗車している時に、何らかの理由によってかご１が階間で停止してしまうと、戸開ボタン１０を押してもかごドア１３は開かず、乗客は、かご１内に閉じ込められた状態となる。かかる場合、乗客は、自分が閉じ込められたことを外部に知らせるため、かご１内において非常呼びボタン１２を押す。非常呼びボタン１２が押されることにより、防犯判定部２５には非常信号が入力される（Ｓ１のＹｅｓ）。
【００３３】
なお、閉じ込め発生時に乗客が暴れるようなことは極めて稀である。このため、防犯判定部２５は、非常呼びボタン１２から非常信号を受信し、異常行動判定部１９から検出信号を受信していない場合（Ｓ２のＮｏ）、閉じ込めの発生を検出し、その旨を中央処理部２６に通知する。そして、この通知を受けた中央処理部２６は、システムのモードを、通常モードから閉じ込め救出モードへと移行させる（Ｓ３）。
【００３４】
具体的に、中央処理部２６は、閉じ込め救出モードにおいて以下の処理を行う。
Ｓ３−１：回線制御部２８及び通信網２２を介して監視センター２３に接続し、監視センター２３に、閉じ込めが発生したことを通知する。
Ｓ３−２：上記通知後、監視センター２３からの制御信号を中継して制御盤２に送信し、制御盤２に、かご１に閉じ込められた乗客を救出するための救出運転を行わせる。
Ｓ３−３：上記救出運転によって乗客が救出された後、監視センター２３からの制御信号を中継して制御盤２に送信し、制御盤２に、所定の点検運転を行わせる。
【００３５】
中央処理部２６は、上記点検運転が完了した旨の通知を監視センター２３から受信すると、Ｓ３−１において接続した回線を切断し、システムを通常モードに復帰させる（Ｓ４）。これにより、エレベーターでは、通常運転が再開される。
【００３６】
一方、かご１内の乗客（被害者）が同乗者（犯人）に襲われ、抵抗しながら非常呼びボタン１２を押すと、防犯判定部２５には非常信号が入力される（Ｓ１のＹｅｓ）。かかる場合、被害者や犯人が暴れる様子がカメラ６によって撮影されているため、異常行動判定部１９によって異常行動が検出され、その検出信号が防犯判定部２５に入力される。防犯判定部２５は、例えば、非常信号を受信する２秒前に異常行動判定部１９から検出信号を受信していれば（Ｓ２のＹｅｓ）、防犯事態を検出し、その旨を中央処理部２６に通知する。そして、この通知を受けた中央処理部２６は、システムのモードを、通常モードから防犯救出モードへと移行させる（Ｓ５）。
【００３７】
具体的に、中央処理部２６は、防犯救出モードにおいて以下の処理を行う（Ｓ６）。
Ｓ６−１：エレベーターの制御盤２に、所定の管制運転Ａを行わせるための信号を送信する。これにより、制御盤２は、管制運転Ａを開始する。
Ｓ６−２：アナウンス記憶部２７に、威嚇アナウンスを開始させるための信号を送信する。これにより、かご１内のスピーカ８から「まもなく警備員が来ます」といった、犯人を威嚇するためのアナウンスが出力される。
Ｓ６−３：レコーダ１８の画像入出力制御部２０に、威嚇画像を表示させるための信号を送信する。これにより、かご１内のモニタ７に「警備員がビル内を走っている画像」といった、犯人を威嚇するための画像が表示される。なお、威嚇画像は、レコーダ１８に予め登録されている。
Ｓ６−４：回線制御部２８及び通信網２２を介して監視センター２３に接続し、カメラ６によって撮影された画像を、レコーダ１８経由で監視センター２３に送信する。
【００３８】
また、エレベーターの制御盤２では、管制運転Ａとして、以下の処理を行う。
Ｓ６−１ａ：電気錠１５を有する扉１４が設置された階床のうち、かご１の現在位置から最も近い階床を行先階として自動登録し、その行先階に向かってかご１を走行させる。
Ｓ６−１ｂ：上記自動登録した行先階の情報を、通信装置２１に送信する。
Ｓ６−１ｃ：秤装置３によって検出された積載荷重Ｍ１を読み取り、記憶する。
Ｓ６−１ｄ：上記自動登録した行先階にかご１が到着した後、かご１を戸開させる。
なお、Ｓ６−１ｂの処理は、例えば、行先階の自動登録を行った直後に、また、Ｓ６−１ｃの処理は、かご１の戸開が行われる前までに実施する。
【００３９】
制御盤２は、上記自動登録した行先階で戸開した後、更に、以下の処理を行う。
Ｓ６−１ｅ：戸閉ボタン１１が押されたか否かを判定する。
Ｓ６−１ｆ：戸閉ボタン１１の押下を検出すると、秤装置３によって検出された積載荷重Ｍ２を読み取り、記憶する。
Ｓ６−１ｇ：積載荷重Ｍ２が、事前に検出された積載荷重Ｍ１よりも所定量（例えば、２０ｋｇ）以上減少しているか否かを判定する。管制運転Ａが行われている間、モニタ７やスピーカ８からは威嚇のための報知が行われている。このため、Ｍ２がＭ１よりも所定量以上減少している場合は、犯人がかご１から降りたと判断して、かご１を戸閉させる。
【００４０】
上記一連の動作により、管制運転Ａが完了する。制御盤２は、管制運転Ａが完了すると、所定の管制運転Ｂに移行する。この時、制御盤２は、管制運転Ｂに移行する旨の信号を、通信装置２１に対して送信する。
【００４１】
通信装置２１（の中央処理部２６）では、Ｓ６−１において制御盤２に管制運転Ａへの移行信号を送信した後、制御盤２から行先階の情報を受信したか否かを判定する（Ｓ７）。中央処理部２６は、Ｓ６−１ｂにおける制御盤２の処理によって制御盤２から行先階情報を受信すると（Ｓ７のＹｅｓ）、電気錠制御盤１６に所定の施錠信号を送信し、制御盤２が自動登録した上記行先階の扉１４に備えられた電気錠１５を施錠させる（Ｓ８）。なお、中央処理部２６は、Ｓ２において条件が成立して（Ｙｅｓの判定がなされて）から、Ｓ６−１ｇにおいて戸閉のための条件が成立するまでの間に、電気錠１５の施錠を完了させる。
【００４２】
その後、中央処理部２６は、制御盤２から管制運転Ｂへの移行信号を受信したか否かを判定する（Ｓ９）。そして、中央処理部２６は、制御盤２から管制運転Ｂへの移行信号を受信すると、以下の処理を行う（Ｓ１０）。
Ｓ１０−１：かご１内のカメラ６、及び、管制運転Ａにおいて行先階となった階床のカメラ１７によって撮影された画像を、レコーダ１８経由で監視センター２３に送信する。
Ｓ１０−２：レコーダ１８の画像入出力制御部２０に、上記行先階のカメラ１７による画像を表示させるための信号を送信する。これにより、かご１内のモニタ７に、戸閉後の上記行先階の様子が映し出される。
Ｓ１０−３：アナウンス記憶部２７に、通話準備アナウンスを開始させるための信号を送信する。これにより、かご１内のスピーカ８から「センターとの通話準備中です。しばらくお待ち下さい。」といったアナウンスが出力される。
【００４３】
なお、エレベーターの制御盤２では、管制運転Ｂに移行すると、管制運転Ａにおいて行先階となった階床以外の所定の階床を行先階として自動登録し、その新たに登録された行先階に向けてかご１を走行させる。そして、制御盤２は、かご１が上記新規行先階に到着すると、その階床において戸閉したままかご１を待機させる。即ち、上記新規行先階にかご１が停止した後、エレベーターは、監視センター２３からの遠隔制御でのみ、制御が可能となる。
【００４４】
また、監視センター２３では、Ｓ１０−１の処理によってカメラ６及び１７による画像が通信装置２１から送信されてくると、その画像をセンター内のモニタに表示して、対処が必要か否かを判断する。例えば、制御盤２によって管制運転Ｂが行われた場合は、かご１内に被害者のみが乗っている画像がセンター内のモニタに表示される。かかる場合、監視センター２３では、被害者との通話を行うため、通信装置２１に対して通話を開始するための所定の信号を送信する。
【００４５】
通信装置２１（の中央処理部２６）では、Ｓ９において管制運転Ｂへの移行信号を受信すると、監視センター２３から通話開始信号を受信したか否かを判定する（Ｓ１１）。中央処理部２６は、監視センター２３から通話開始信号を受信すると、それまで継続させていたＳ１０−３のアナウンスを停止させ、通話動作を開始する（Ｓ１２）。これにより、かご１内の被害者は、インターホン５を通じて監視センター２３（のオペレータ）との通話が可能になる。
【００４６】
監視センター２３では、通信装置２１に通話開始信号を送信した後、かご１内の被害者との会話から、状況に応じた適切な対処を行う。
例えば、犯罪が発生したと判断した場合、監視センター２３は、警備会社２４に通報して、警備員、警察官等を現場に急行させる。また、かご１内に取り残されているのが被害者と確認できた場合、監視センター２３は、遠隔制御によってかご１を戸開する。そして、監視センター２３では、かご１内の被害者との会話が終了すると、通信装置２１に対して通話が終了した旨の所定の信号を送信する。
【００４７】
通信装置２１（の中央処理部２６）では、Ｓ１２において通話動作を開始させた後、監視センター２３から通話終了信号を受信したか否かを判定する（Ｓ１３）。中央処理部２６は、監視センター２３から通話終了信号を受信すると、回線制御部２８による通話動作を終了させる（Ｓ１４）。
【００４８】
また、現場に到着した警備員或いは警察官は、監視センター２３に連絡を取り、遠隔制御によってエレベーターを運転させ、管制運転Ａによって所定の階床に閉じ込められた犯人を確保する。そして、監視センター２３は、警備員或いは警察官から現場対応が終了した旨の報告を受けると、通信装置２１に、復旧を許可する旨の所定の信号を送信する。
【００４９】
通信装置２１（の中央処理部２６）では、Ｓ１４において通話動作を終了させた後、監視センター２３から復旧許可信号を受信したか否かを判定する（Ｓ１５）。中央処理部２６は、監視センター２３から復旧許可信号を受信すると、エレベーターの制御盤２、レコーダ１８、電気錠制御盤１６にそれぞれ復旧信号を送信し（Ｓ１６）、システムを通常モードに移行させる（Ｓ４）。
【００５０】
上記構成を有する防犯システムでは、画像解析結果と非常呼びボタン１２の操作結果との双方を用いて、防犯事態の有無の判定を行っている。このため、レコーダ１８として、画像解析能力の極めて高い装置を用意する必要がなく、システムを安価に構成することができる。また、防犯事態が発生していない時にその検出が行われることはないため、無用な管制運転が行われることがなく、システムとして高い信頼性を確保することができる。
【００５１】
本防犯システムでは、防犯事態が検出されると威嚇報知が行われ、且つ、所定の階床で戸開動作が行われる。このため、戸開時に犯人をかご１外に追い出すことができ、早期に犯人を被害者から引き離すことが可能となる。また、かご１が停止した階床では、電気錠１５が施錠されているため、犯人は他の階床或いはビルの外に逃げることができず、犯人を取り逃がしてしまう恐れもない。
【００５２】
なお、かご１が上記階床で戸開した後は、戸閉ボタン１１が操作されても、かご１の積載荷重が減少しなければ戸閉動作は開始されない。このため、かご１内で犯人と被害者が揉み合って戸閉ボタン１１が押されたり、犯人が他の人に見つかるのを恐れて戸閉ボタン１１を押したりしても、戸閉動作が開始されることはない。したがって、被害者が犯人と同乗したままかご１内に閉じ込められるといったことを確実に防止することができる。また、かご１が停止した階床では威嚇報知が行われながら戸開状態が継続するため、かかる観点からも、犯人をかご１外に追い出し易くなる。
【００５３】
また、管制運転Ｂでは、電気錠１５の設置階床から移動させた先で、かご１を戸閉状態で待機させている。このため、監視センター２３のオペレータは、例えば、かご１内に残っている人が犯人である場合は、戸開しない等、その状況に応じた対応を行うことが可能となる。
【００５４】
なお、本実施の形態で示した各機器及び各機能は、必ずしも１つの部品や装置によって構成する必要はない。例えば、１つの機能を複数の部品で構成したり、複数の機能を１つの部品や装置で構成したりしても良い。
【符号の説明】
【００５５】
１  かご
２  制御盤
３  秤装置
４  操作盤
５  インターホン
６、１７  カメラ
７  モニタ
８  スピーカ
９  行先ボタン
１０  戸開ボタン
１１  戸閉ボタン
１２  非常呼びボタン
１３  かごドア
１４  扉
１５  電気錠
１６  電気錠制御盤
１８  レコーダ
１９  異常行動判定部
２０  画像入出力制御部
２１  通信装置
２２  通信網
２３  監視センター
２４  警備会社
２５  防犯判定部
２６  中央処理部
２７  アナウンス記憶部
２８  回線制御部
【図１】
0005682325.tif 000002
【図２】
0005682325.tif 000003
【図３】
0005682325.tif 000004